(57)【要約】【課題】大型化することを抑制しながら、吹出風速を増大させることができる送風機を提供することを目的としている。【解決手段】第１の方向Ｘに延びる複数の風路４が第２の方向Ｙに複数並んで形成され、各風路４ごとに設けられた吸込口２と各風路４ごとに設けられた吹出口３とが形成された箱状の筐体１と、各風路４にそれぞれ設けられ、吸込口２側から吹出口３側へ向かう気流を各風路４内に発生させる羽根車５ａ、５ｂが取り付けられた電動機６ａ、６ｂと、を備え、羽根車５ａ、５ｂは、各風路４の第２の方向Ｙに沿って複数配置されているものである。【選択図】図２
2015124686.tif 000002
【特許請求の範囲】
【請求項１】
第１の方向に延びる複数の風路が第２の方向に複数並んで形成され、各風路ごとに設けられた吸込口と前記各風路ごとに設けられた吹出口とが形成された箱状の筐体と、
前記各風路にそれぞれ設けられ、前記吸込口側から前記吹出口側へ向かう気流を前記各風路内に発生させる羽根車が取り付けられた電動機と、
を備え、
前記羽根車は、前記各風路の前記第２の方向に沿って複数配置されている
ことを特徴とする送風機。
【請求項２】
前記筐体には、
前記第２の方向に延びる帯状の開口が形成され、
前記開口は、
前記各風路ごとに設けられた前記吹出口により構成される共通吹出口である
ことを特徴とする請求項１に記載の送風機。
【請求項３】
前記風路の下流側の前記羽根車の回転方向は、前記風路の上流側の前記羽根車の回転方向と逆方向である
ことを特徴とする請求項１又は２に記載の送風機。
【請求項４】
前記筐体には、
前記吸込口の上流側に、前記各風路ごとに設けられた前記吸込口に共通して連通する共通吸込口が形成されている
ことを特徴とする請求項１〜３のいずれか一項に記載の送風機。
【請求項５】
前記羽根車は、軸流羽根車である
ことを特徴とする請求項１〜４のいずれか一項に記載の送風機。
【請求項６】
前記筐体は、
前記第１の方向と前記第２の方向とが直交するように構成されている
ことを特徴とする請求項１〜５のいずれか一項に記載の送風機。
【請求項７】
前記筐体の前記吸込口に設けられ、塵埃を捕集するフィルターをさらに備えた
ことを特徴とする請求項１〜６のいずれか一項に記載の送風機。
【発明の詳細な説明】
【技術分野】
【０００１】
本発明は、送風機に関するものである。
【背景技術】
【０００２】
空調機の負荷を軽減することを目的として、筐体内に羽根車などが配置されて構成され、帯状の空気を発生させる送風機が、たとえば建物の開放された出入口に付設される。建物の出入口に付設する場合には、たとえば出入口の上方に送風機を設置するとともに、空気が下向きに吹出すように送風機を配置することで、送風機をエアーカーテンとして機能させることができる。このように、送風機を設置することで、建物の出入口における室内への外気の流入、室外への室内の空調された空気の流出を抑制することができ、その結果、室内に設置された空調機の負荷を軽減することができる。
【０００３】
エアーカーテンに用いられる帯状の気流を発生する送風機には、従来、貫流羽根車を用いたものが提案されている（たとえば、特許文献１参照）。
【０００４】
このような貫流羽根車を用いた送風機は、ファン効率が低く、消費電力が大きいという課題があった。また、騒音が大きい課題もあった。このような課題を解決するために、筐体内に軸流羽根車を複数並べることにより、帯状の気流を発生する送風機が提案されている（たとえば、特許文献２参照）。軸流羽根車を採用することで、貫流羽根車を用いた送風機と比較して消費電力が小さく、低騒音で気流を発生することができる。
【先行技術文献】
【特許文献】
【０００５】
【特許文献１】特開平５−１０６８９８号公報（たとえば、図１参照）
【特許文献２】特開平６−３１３６０３号公報（たとえば、図１参照）
【発明の概要】
【発明が解決しようとする課題】
【０００６】
たとえば建物の大きさ、用途などによっては、出入口が大型化する場合がある。たとえば、食品を貯蔵する倉庫などでは、一度に多くのものを搬入出するために出入口の高さ幅を大きくする必要がある。この出入口の高さ幅が大きい建物に、特許文献２のような軸流羽根車を搭載した送風機を設置し、エアーカーテンとして機能させる場合には、送風機の空気遮断能力を高さ幅が高い分、大きくする必要がある。
【０００７】
空気遮断能力を大きくするには、送風機から吹き出される空気の風速（吹出風速）を大きくする手段が考えられる。吹出風速を大きくするには、軸流羽根車の外周速度を大きくする必要があり、そのためには軸流羽根車の外径を大きくするか、軸流羽根車の回転速度を大きくする必要がある。一般的に送風機に使われる交流誘導機電動機の場合には、軸の回転速度の上限は交流電源の周波数により決まるため必要な回転速度を得られない場合がある。その場合には、羽根外径を大きくせざるをえず、それに伴って筐体が大型化してしまうという課題がある。
【０００８】
本発明は、以上のような課題を解決するためになされたもので、大型化することを抑制しながら、吹出風速を増大させることができる送風機を提供することを目的としている。
【課題を解決するための手段】
【０００９】
本発明に係る送風機は、第１の方向に延びる複数の風路が第２の方向に複数並んで形成され、各風路ごとに設けられた吸込口と各風路ごとに設けられた吹出口とが形成された箱状の筐体と、各風路にそれぞれ設けられ、吸込口側から吹出口側へ向かう気流を各風路内に発生させる羽根車が取り付けられた電動機と、を備え、羽根車は、各風路の第２の方向に沿って複数配置されているものである。
【発明の効果】
【００１０】
本発明に係る送風機によれば、上記構成を有しているため、大型化することを抑制しながら、吹出風速を増大させることができる。
【図面の簡単な説明】
【００１１】
【図１】本発明の実施の形態に係る送風機を吹出口側から見た図である。
【図２】本発明の実施の形態に係る送風機の空気流方向と平行な断面図である。
【図３】本発明の実施の形態に係る送風機を吸込口側から見た図である。
【図４】本発明の実施の形態に係る送風機をエアーカーテンに利用した場合の模式図である。
【図５】本発明の実施の形態に係る送風機を空気搬送に利用した場合の模式図である。
【図６】本発明の実施の形態に係る送風機をサーキュレーションに利用した場合の模式図である。
【図７】本発明の実施の形態に係る送風機を涼風用に利用した場合の模式図である。
【図８】本発明の実施の形態に係る送風機の変形例１である。
【図９】本発明の実施の形態に係る送風機の変形例２である。
【発明を実施するための形態】
【００１２】
以下、本発明の実施の形態を図面に基づいて説明する。本発明は、下記の実施の形態に限定されるものではない。
【００１３】
実施の形態１．
図１は、本実施の形態に係る送風機１００を吹出口３側から見た図である。図２は、本実施の形態に係る送風機１００の空気流方向と平行な断面図である。図３は、本実施の形態に係る送風機１００を吸込口２側から見た図である。
本実施の形態１に係る送風機１００は、大型化することを抑制しながら、吹出風速を増大させることができる改良が加えられたものである。
【００１４】
［構成説明］
送風機１００は、外郭を形成する箱状の筐体１と、この筐体１内に並んで設けられた複数の電動機（第１の電動機６ａ及び第２の電動機６ｂ）とを有しているものである。筐体１は、第２の方向Ｙを長手方向とする直方体の箱状に形成されているものである。なお、筐体１は、第２の方向Ｙと、後述する第１の羽根車５ａ及び第２の羽根車５ｂが並ぶ方向である第１の方向Ｘとが直交するように構成されている。筐体１は、吸込口２と吹出口３とを連通する風路４が形成されている。風路４は、第２の方向Ｙに等間隔に並ぶように形成された円筒状の５つの風路４を有している。そして、各風路４は、第１の方向Ｘに延びるように形成されている。吸込口２から筐体１に取り込まれた空気は、各風路４に流入し、吹出口３にて吹き出される。
【００１５】
吸込口２は、筐体１の第２の方向Ｙに延びるように形成されているものである。筐体１には、吸込口２と連通し、空気流れ方向の下流側から上流側に向かうにしたがって縮径する縮径部２１Ａが形成されている。この縮径部２１Ａは、ベルマウスとして機能している。
【００１６】
吸込口２には、格子状に構成された保護ガード８が設けられている。保護ガード８は、各風路４内への異物侵入防止、指などが羽根に接触することによるけがの防止、及び、万が一羽根などの部品が外れた場合の部品の飛散防止などのために設けられているものである。なお、本実施の形態では、保護ガード８がワイヤを格子状に構成したものであるものとして説明するが、これに限定されるものではなく、網などで構成してもよいし、金属板材に複数の穴を形成して得られるパンチングメタルなどで構成してもよい。この保護ガード８として網、パンチングメタルなどを用いても、気流を通すことができ、上記した異物侵入防止、けがの防止、及び羽根などの部品の飛散防止などを実現することができる。
【００１７】
吹出口３は、筐体１のうち吸込口２の形成面とは対向する側に形成されているものである。吹出口３は、筐体１の第２の方向Ｙに延びる帯状に形成されているものである。すなわち、筐体１には、第２の方向Ｙに延びる帯状の開口３１が形成され、開口３１は、各風路４ごとに設けられた吹出口３により構成される共通吹出口である。筐体１を流れてきた空気は、共通吹出口から帯状に放出される。筐体１には、吹出口３と連通し、吸込口２側から吹出口３側に向かうにしたがって縮径するノズル部９が形成されている。ノズル部９は、第３の方向Ｚにおける筐体１の中央に向かうように形成されている。すなわち、ノズル部９は、Ｚ方向における第２の羽根車５ｂの中心位置を境にして風路４を均等に絞り、風路４の断面積を漸減させるように傾斜状に形成されているものである。ここで、第３の方向Ｚは、第１の方向Ｘ及び第２の方向Ｙと直交する方向である。
【００１８】
筐体１のうちの吹出口３の形成位置には、第２の方向Ｙに延びるように設けられたガイド部７が設けられている。このガイド部７が設けられていることにより、吹出口３は、第２の方向Ｙに延びるように形成された吹出口３Ａ及び吹出口３Ｂの２手に分割されている。ガイド部７は、Ｘ方向及びＺ方向に平行な断面において、ガイド部７のＺ方向における中心位置を頂点とする三角形状に形成された凸部７Ａと、凸部７Ａの上流側に形成された平坦部７Ｂとを有している。凸部７Ａは、空気流れ方向の下流側から上流側に向かうにしたがって各風路４が狭くなるように形成されている。一方、平坦部７Ｂは、吹出口３から吹き出される空気の音を抑制するように、空気流れ方向である第１の方向Ｘに平行に形成されている。
【００１９】
各風路４には、第１の羽根車５ａを有する第１の電動機６ａと、第１の電動機６ａの下流側に配置され、第２の羽根車５ｂを有する第２の電動機６ｂとが設けられている。このように、送風機１００は、複数の羽根車（第１の羽根車５ａと第２の羽根車５ｂ）が設けられているため、各風路４の圧力をより高くすることができる。このため、羽根車の径を大きくしたり、回転速度を上げたりすることを回避しながら、吹出風速を増大させることができる。
【００２０】
第１の電動機６ａは、吸込口２側から吹出口３側へ向かう気流を発生させる第１の羽根車５ａが取り付けられ、各風路４にそれぞれ設けられているものである。第２の電動機６ｂも、第１の電動機６ａと対応する構成を有するものであり、吸込口２側から吹出口３側へ向かう気流を発生させる第２の羽根車５ｂが取り付けられ、各風路４にそれぞれ設けられているものである。第１の電動機６ａ及び第２の電動機６ｂは、図示は省略しているが、たとえば、第１の羽根車５ａ及び第２の羽根車５ｂが接続される回転自在のシャフト、巻線が巻き付けられた固定子、シャフトに接続された回転子、シャフトを回転自在に支持する軸受などを有しているものである。
【００２１】
第１の電動機６ａは、各風路４内の第１の電動機保持部１５ａに係止されている。この第１の電動機保持部１５ａは、一端側が第１の電動機６ａに接続され、他端側が各風路４に接続されている。また、第２の電動機６ｂは、各風路４内の第２の電動機保持部１５ｂに係止されている。この第２の電動機保持部１５ｂは、一端側が第２の電動機６ｂに接続され、他端側が風路４に接続されている。第１の電動機保持部１５ａ及び第２の電動機保持部１５ｂは、風路４に一体化されて形成されている。
【００２２】
第１の羽根車５ａ及び第２の羽根車５ｂは、同じ風路４に配置されているものであり、各風路４が延びる方向である第１の方向Ｘに沿って、並ぶように設けられている。本実施の形態に係る送風機１００の第１の羽根車５ａ及び第２の羽根車５ｂは、軸流羽根車である。すなわち、第１の羽根車５ａは、第１の電動機６ａのシャフトに接続されるボス部５ａ１と、ボス部５ａ１から放射状に延びるように形成されている複数の羽根部５ａ２とを有しているものである。同様に、第２の羽根車５ｂも、第２の電動機６ｂのシャフトに接続されるボス部５ｂ１と、ボス部５ｂ１から放射状に延びるように形成されている複数の羽根部５ｂ２とを有している。
【００２３】
送風機１００には、各風路４に複数の羽根車、すなわち第１の羽根車５ａ及び第２の羽根車５ｂが設けられているので、その分、より高い圧力を得ることができるようになっている。このため、送風機１００の吹出風速を大きくすることができる。
また、送風機１００の第１の羽根車５ａと第２の羽根車５ｂとは、回転軸が一致するように各風路４に設けられている。そして、第１の羽根車５ａの回転方向と第２の羽根車５ｂの回転方向とは逆向きとなるように、第１の電動機６ａ及び第２の電動機６ｂが駆動される。これにより、第１の羽根車５ａから流出した流れの旋回速度成分は、下流の第２の羽根車５ｂにより圧力として回収される。すなわち、送風機１００では、各風路４に複数の羽根車（第１の羽根車５ａと第２の羽根車５ｂ）が設けられているだけでなく、回転方向が逆であるため、その分、圧力を高くすることができ、吹出風速を大きくすることができる。また、第１の羽根車５ａから流出した流れの旋回速度成分は、下流側の第２の羽根車５ｂにより回収されるため、第２の羽根車５ｂから流出した流れ中の旋回速度成分が減少する。このため、送風機１００では、吹出口３から放出される流れ中の旋回速度成分も減少し、安定した帯状の気流を生成することができる。
【００２４】
なお、本実施の形態では、第１の電動機保持部１５ａ及び第２の電動機保持部１５ｂが、風路４に一体化されて形成されているものとして説明したが、それに限定されるものではなく、第１の電動機保持部１５ａ及び第２の電動機保持部１５ｂを、風路４を構成する部材とは別体で構成し、たとえばボルトなどで固定するようにしてもよい。
【００２５】
また、本実施の形態に係る送風機１００では、風路４を流れた空気が吹出口３にて合流して吹き出される構成、すなわち送風機１００の最下流側で空気が合流する構成であったが、これに限定されるものではない。筐体１内で空気を合流させる構成であってもよい。たとえば、送風機１００の各風路４の吹出口を、第２の電動機６ｂの第２の羽根車５ｂの下流側であってガイド部７よりも上流側に形成してもよい。この場合には、各風路４の吹出口の部分で空気が合流し、その後、この合流した空気が吹出口３から吹き出される。
【００２６】
また、本実施の形態では、同一の各風路４に第１の羽根車５ａ及び第２の羽根車５ｂの２つのものを設置した例を説明したが、この２つの羽根車に限定されるものではなく、３つ以上であってもよい。すなわち、第１の方向Ｘに複数配置されていればよい。たとえば、４つの羽根車を各風路４に設置した場合には、回転方向が交互になるようにするとよい。すなわち、空気流れ方向の最上流側の羽根車の回転方向が第１の回転方向であれば、下流側の３つの羽根車については、第２の回転方向、第１の回転方向、第２の回転方向とするとよい。なお、第１の回転方向と第２の回転方向とは、逆回転であることを表している。
【００２７】
また、空気流れ方向の１番上流側の羽根車及び２番目に上流側の羽根車の回転方向を第１の回転方向とし、３番目及び４番目の羽根車の回転方向については、第２の回転方向としてもよい。このように、空気流方向に隣接する羽根車の組み合わせのうちの一部のものが、逆回転の関係となっていればよく、全ての組み合わせが逆回転となっていなくてもよい。この場合においては、２番目の羽根車と３番目の羽根車との関係においては、回転方向が逆方向となっているので、旋回速度成分の減少の効果が得られ、吹出風速を大きくすることができる。
【００２８】
また、本実施の形態では、吹出口３Ａ及び吹出口３ＢのＺ方向の幅が同一であるものを図示しているが、それに限定されるものではなく、吹出口３Ａよりも吹出口３ＢのＺ方向の幅が広くてもよいし、狭くてもよい。さらに、吹出口３として、吹出口３Ａ及び吹出口３Ｂの２つが形成された場合を例に説明したが、それに限定されるものではなく、ガイド部７を複数設け、３つ以上の吹出口を形成してもよい。
【００２９】
［動作説明］
このように構成された送風機１００は、筐体１の両端に設けられた取付足１０によって建物の壁面、天井などに取り付けられる。図２の矢印にて示すように、保護ガード８のスリットの隙間から気流が送風機１００内に流入する。そして、この気流は、各吸込口２から各風路４内に流入する。各風路４に流入した気流は、第１の羽根車５ａ及び第２の羽根車５ｂにより静圧と動圧を付加させられる。第１の羽根車５ａ及び第２の羽根車５ｂを過ぎた気流は、ガイド部７及びノズル部９の作用により２手に分割される。２手に分割された気流は、吹出口３から第２の方向Ｙに延びる帯状気流Ｆとして空調対象空間に放出される。この放出された帯状気流Ｆによりエアーカーテン、サーキュレーションなどの目的を達成することができる。
【００３０】
［送風機１００の設置例］
図４は、実施の形態に係る送風機１００をエアーカーテンに利用した場合の模式図である。送風機１００は、図４に示すように、たとえば建物の出入口など三方枠の上部横枠に、吹出口３が下側に向くように設置される。送風機１００は、吹出口３から吹き出される帯状気流Ｆ１により、建物の出入口内外の空気の流れを遮断するエアーカーテンとして利用することができる。たとえば、建物内で冷暖房している場合には、建物内の冷気、暖気が建物外に逃げてしまうことを抑制することができ、冷暖房効率が低減してしまうことを抑制することができる。
【００３１】
図５は、実施の形態に係る送風機１００を空気搬送に利用した場合の模式図である。送風機１００は、図５に示すように、たとえば建物内の天井面、壁面などに設置される。送風機１００は、建物の壁面に設置された換気扇１７Ａにより室内に取り込まれた新鮮外気を、帯状気流Ｆ２として、反対側の壁面の排気用の換気扇１７Ｂに向かわせ搬送するために使用することができる。 
【００３２】
図６は、実施の形態に係る送風機１００をサーキュレーションに利用した場合の模式図である。送風機１００は、図６に示すように、たとえば空調機１８が設けられた建物内の天井面、壁面などに設置される。送風機１００は、帯状気流Ｆ３を放出することで、空調機１８から建物内に吹き出された空調空気を撹拌するためのサーキュレーションとして使用することができる。
【００３３】
図７は、実施の形態に係る送風機１００を涼風用に利用した場合の模式図である。送風機１００は、図７に示すように、建物の天井面や壁面に設置されて、建物内に居る人に対して帯状気流Ｆ４を当てることにより、涼風感を与える送風機として使用することができる。
【００３４】
［本実施の形態に係る送風機１００の有する効果］
本実施の形態に係る送風機１００は、複数の羽根車、すなわち第１の羽根車５ａ及び第２の羽根車５ｂが、風路４に沿う方向である第１の方向Ｘに配置されている。このため、風路４の圧力を大きくすることができ、羽根車の外径を大きくして筐体１を大型化したり、羽根車の回転速度を大きくしたりすることを回避しながら、送風機１００の吹出風速を増大させることができる。
【００３５】
本実施の形態に係る送風機１００は、第１の羽根車５ａ及び第２の羽根車５ｂの回転速度を大きくすることを回避して吹出速度を増大させることができるので、第１の電動機６ａ及び第２の電動機６ｂから発生する音を抑制することができ、建物内のユーザーに不快感を与えてしまうことを抑制することができる。
【００３６】
本実施の形態に係る送風機１００は、吹出風速が大きいため、エアカーテンとして用いた場合には、空気遮断能力を向上させることができる。また、吹出風速が大きいので、空気搬送用途に用いた場合にはより遠くに空気を搬送することができ、サーキュレーション用途に用いた場合には気流の到達距離をより大きくなるので建物内の空気の撹拌がより効率的になされ、涼風用に用いた場合にはより涼風感をより与えることができる。
【００３７】
特許文献２に示されるような従来の送風機では、軸流羽根車が単段であるため、軸流羽根車から流出する流れには、軸流羽根車の回転軸方向の速度成分以外に、軸流羽根車の回転方向と同じ方向の旋回速度成分が生じる。この旋回速度成分は、送風機のする仕事に寄与しないため損失となる。また送風機の吹出口から放出される流れにも、以外に軸流羽根車の回転方向と同じ方向の旋回速度成分が残存することになり、帯状の気流が乱されるという課題もあった。
【００３８】
本実施の形態に係る送風機１００は、第１の羽根車５ａの回転方向に対して、第２の羽根車５ｂの回転方向が逆向きとなるように駆動されることにより、第１の羽根車５ａから流出した流れの旋回速度成分は、下流の第２の羽根車５ｂにより圧力として回収される。これにより、送風機１００では、高い圧力を得ることができ、吹出風速を大きくすることができる。
【００３９】
また、本実施の形態に係る送風機１００は、第１の羽根車５ａから流出した流れの旋回速度成分が、下流側の第２の羽根車５ｂにより回収されるため、第２の羽根車５ｂから流出した流れ中の旋回速度成分が減少する。この結果として、送風機１００では、吹出口３から放出される流れ中の旋回速度成分も減少し、安定した帯状の気流が生成されるという効果も得ることができる。
【００４０】
［変形例１］
図８は、実施の形態に係る送風機１００の変形例１（送風機１００Ｂ）である。送風機１００は、お互いが反対方向に回転する第１の羽根車５ａ及び第２の羽根車５ｂを有しているため、その分、高い圧力を得ることができるものである。そこで、図８に示すように、吸込口２に通風抵抗となるフィルター３０を配設した場合でも、風量の低下を抑制することができる。工場などのように、空気中に粉塵などが存在する環境においては、フィルター３０が設置されていないと第１の電動機６ａ及び第２の電動機６ｂに粉塵などが付着してしまい、第１の電動機６ａ及び第２の電動機６ｂの故障の原因となる。しかし、送風機１００Ｂでは、フィルター３０が搭載されているため、第１の電動機６ａ及び第２の電動機６ｂに粉塵などが付着することが抑制されるため、その分、第１の電動機６ａ及び第２の電動機６ｂが故障しにくく、耐久性が向上している。
【００４１】
［変形例２］
図９は、実施の形態に係る送風機１００の変形例２（送風機１００Ｃ）である。図２に示す筐体１の保護ガード８と縮径部２１Ａとの間における第１の方向Ｘと平行な距離を、図９に示す送風機１００Ｃの筐体１Ｃのように広げてもよい。このように筐体１Ｃを構成することで、各風路４の吸込口２に共通して連通する共通吸込口２１を筐体１Ｃに形成することができる。すなわち、送風機１００Ｃでは、共通吸込口２１から吸い込まれた空気は、各風路４に分岐し、吹出口３から吹き出される。この送風機１００Ｃにおいても、送風機１００と同様の効果を得ることができる。
【符号の説明】
【００４２】
１  筐体、１Ｃ  筐体、２  吸込口、３  吹出口、３Ａ  吹出口、３Ｂ  吹出口、４  風路、５ａ  第１の羽根車、５ａ１  ボス部、５ａ２  羽根部、５ｂ  第２の羽根車、５ｂ１  ボス部、５ｂ２  羽根部、６ａ  第１の電動機、６ｂ  第２の電動機、７  ガイド部、７Ａ  凸部、７Ｂ  平坦部、８  保護ガード、９  ノズル部、１０  取付足、１５ａ  第１の電動機保持部、１５ｂ  第２の電動機保持部、１７Ａ  換気扇、１７Ｂ  換気扇、１８  空調機、２１  共通吸込口、２１Ａ  縮径部、３０  フィルター、３１  開口、１００  送風機、１００Ｂ  送風機、１００Ｃ  送風機、Ｆ  帯状気流、Ｆ１  帯状気流、Ｆ２  帯状気流、Ｆ３  帯状気流、Ｆ４  帯状気流、Ｘ  第１の方向、Ｙ  第２の方向。
【図１】
2015124686.tif 000003
【図２】
2015124686.tif 000004
【図３】
2015124686.tif 000005
【図４】
2015124686.tif 000006
【図５】
2015124686.tif 000007
【図６】
2015124686.tif 000008
【図７】
2015124686.tif 000009
【図８】
2015124686.tif 000010
【図９】
2015124686.tif 000011